(57)【要約】【課題】扱胴の中間部分の剛性が低いため、回転中の振動が大きく、回転がぶれることにより脱穀処理精度が低下するという課題がある。【解決手段】扱室２２内に前後方向の扱胴軸２７により扱胴２１を軸装し、該扱胴２１の前部に、後端側ほど径が大きくなるテーパー状のテーパー部２３を形成し、該扱胴２１の前後方向中間部から後部にわたる部位に円筒状の円筒部２４を形成し、該扱胴２１の前後方向の中間部を扱胴軸２７に支持する支持部材２８を扱胴２１内に設け、扱胴２１の内周面側における円筒部２４の前端部近傍の部位には、前記扱胴軸２７とは連結されない補強部材３０を設けた脱穀装置。【選択図】図２
2014124137.tif 000002
【特許請求の範囲】
【請求項１】
扱室（２２）内に前後方向の扱胴軸（２７）により扱胴（２１）を軸装し、該扱胴（２１）の前部に、後端側ほど径が大きくなるテーパー状のテーパー部（２３）を形成し、該扱胴（２１）の前後方向中間部から後部にわたる部位に円筒状の円筒部（２４）を形成し、該扱胴（２１）の前後方向の中間部を扱胴軸（２７）に支持する支持部材（２８）を扱胴（２１）内に設け、扱胴（２１）の内周面側における円筒部（２４）の前端部近傍の部位には、前記扱胴軸（２７）とは連結されない補強部材（３０）を設けた脱穀装置。
【請求項２】
請求項１記載の発明において、前記支持部材（２８）は、前記扱室（２２）の略前後中間位置に設けられ被処理物の流れに抵抗を与える中仕切板（２９）の近傍に配置した脱穀装置。
【請求項３】
請求項１または請求項２記載の発明において、前記扱室（２２）の下方に配置され扱室（２２）からの漏下物を選別する風選室（４０）を設け、該風選室（４０）を、左右方向において前記扱胴軸（２７）に対して前記扱胴（２１）の回転方向の下手側に偏倚して配置した脱穀装置。
【請求項４】
請求項１または請求項２または請求項３記載の発明において、前記風選室（４０）には、揺動選別棚（４１）の下方に一番物を回収する一番コンベア（４５）と二番物を回収する二番コンベア（４６）を設け、該二番コンベア（４６）の終端に接続した二番物還元装置５０の先端を、扱胴軸（２７）よりも下側の扱胴（２１）の部位での扱胴（２１）の回転方向の下手側の揺動選別棚（４１）上に開口させた脱穀装置。
【発明の詳細な説明】
【技術分野】
【０００１】
本発明は、脱穀装置に係るものである。
【背景技術】
【０００２】
従来、扱室に軸装した扱胴を、その前部を前部が細いテーパー部に形成し、後部を円筒部により形成した構成は、公知である（特許文献１）。
【先行技術文献】
【特許文献】
【０００３】
【特許文献１】特開２０１１−１８２６５３号公報
【発明の概要】
【発明が解決しようとする課題】
【０００４】
前記公知例は、扱胴の中間部分の剛性が低いため、回転中の振動が大きく、回転がぶれることにより脱穀処理精度が低下するという課題がある。
また、扱胴と内部の支持部材と扱胴軸とが連結されているので、組立が容易でないという課題がある。
本願は、扱胴の構成を工夫し、扱胴の剛性を向上させて脱粒効率を高め、また、扱胴の着脱を容易にして、メンテナンスを容易にしたものである。
【課題を解決するための手段】
【０００５】
請求項１の発明は、扱室２２内に前後方向の扱胴軸２７により扱胴２１を軸装し、該扱胴２１の前部に、後端側ほど径が大きくなるテーパー状のテーパー部２３を形成し、該扱胴２１の前後方向中間部から後部にわたる部位に円筒状の円筒部２４を形成し、該扱胴２１の前後方向の中間部を扱胴軸２７に支持する支持部材２８を扱胴２１内に設け、扱胴２１の内周面側における円筒部２４の前端部近傍の部位には、前記扱胴軸２７とは連結されない補強部材３０を設けた脱穀装置としたものであり、扱室２２内に供給された穀稈は、回転する扱胴２１により脱穀される。
請求項２の発明は、前記支持部材２８は、前記扱室２２の略前後中間位置に設けられ被処理物の流れに抵抗を与える中仕切板２９の近傍に配置した脱穀装置としたものであり、支持部材２８により剛性アップされた扱胴２１の部分により、扱室２２の略前後中間位置に設けた中仕切板２９により流れに抵抗が与えられている被処理物の脱穀処理を行う。
請求項３の発明は、前記扱室２２の下方に配置され扱室２２からの漏下物を選別する風選室４０を設け、該風選室４０を、左右方向において前記扱胴軸２７に対して前記扱胴２１の回転方向の下手側に偏倚して配置した脱穀装置としたものであり、扱胴２１の回転方向の下手側にオフセットされた風選室４０にて風選処理される。
請求項４の発明は、前記風選室４０には、揺動選別棚４１の下方に一番物を回収する一番コンベア４５と二番物を回収する二番コンベア４６を設け、該二番コンベア４６の終端に接続した二番物還元装置５０の先端を、扱胴軸２７よりも下側の扱胴２１の部位での扱胴２１の回転方向の下手側の揺動選別棚４１上に開口させた脱穀装置としたものであり、揺動選別棚４１により一旦選別処理されて二番コンベア４６に回収された二番物は、二番物還元装置５０を扱胴２１の回転方向の下手側の揺動選別棚４１上に還元されて再選別処理される。
【発明の効果】
【０００６】
請求項１の発明では、支持部材２８と補強部材３０により扱胴２１の剛性を向上させることができ、その結果、扱胴２１の被処理物の圧力による変形を防止し、脱粒効率を向上させることができる。
請求項２の発明では中仕切板２９により被処理物が集中する部分の扱胴２１の剛性を支持部材２８により高めることができるので、扱胴２１の回転精度を向上させて脱粒効率を向上させることができる。
請求項３の発明では、扱室２２から落下する被処理物の均分化を図ることができ、選別精度および選別効率を向上させることができる。
請求項４の発明では、二番物還元装置５０により二番物を扱胴２１の回転方向の下手側の揺動選別棚４１上に還元するので、選別精度および選別効率を向上させることができる。
【図面の簡単な説明】
【０００７】
【図１】コンバインの側面図。
【図２】脱穀装置の左側面図。
【図３】脱穀装置の右側面図。
【図４】同正面図。
【図５】扱胴の断面図。
【図６】同断面図。
【図７】二番還元装置部分の正面図。
【図８】センタフレームの斜視図。
【図９】脱穀装置の機枠の正面図。
【図１０】同背面図。
【図１１】同右側面図。
【図１２】同一部背面図。
【図１３】同平面図。
【図１４】同左側面図。
【図１５】脱穀装置の機枠の概略分解側面図。
【発明を実施するための形態】
【０００８】
本発明の一実施例を図面により説明すると、１は機体フレーム、２は機体フレーム１の下部に設けた走行装置、３は機体フレーム１上に設けた脱穀装置、４は刈取装置、５はグレンタンク、７は脱穀装置３の前方の一側に設けた操縦部である。
刈取装置４は、左右側壁６と、後述するオーガー８の下方に位置する底板９と、左右の側壁６と底板９とを連結するように設けた後板１０により構成したオーガーフレーム１１に、リール１２と、刈刃１３と前記オーガー８を設けて構成し、オーガーフレーム１１には搬送エレベーター１４の先端を取付け、搬送エレベーター１４の基部は脱穀装置３の脱穀室に接続する。
前記脱穀装置３は、上部に扱歯２０を有する扱胴２１を略水平に軸装した扱室２２を設ける。扱胴２１は、始端部側に前側に至るに細いテーパー部２３に形成し、テーパー部２３に続いて終始略同径の円筒状の円筒部２４により形成する。
【０００９】
扱胴２１は脱穀装置３の前板２５と後板２６に扱胴軸２７により軸装し、扱胴２１の中間部分を扱胴軸２７に支持する支持部材２８を扱胴２１内に設ける。
２９は前記扱室２２の略前後中間位置に設けた中仕切板であり、前記支持部材２８は中仕切板２９の近傍に設ける。実施例では中仕切板２９より所定間隔おいた始端側の円筒部２４内に支持部材２８を設けている。
扱胴２１の円筒部２４の始端側内部にはリング状の補強部材３０を設ける。補強部材３０はテーパー部２３と円筒部２４の境界部分に設けると、テーパー部２３の剛性を向上させられ、好適である。
そして、扱胴２１内には支持部材２８と補強部材３０とを設けているので、扱胴２１の剛性を向上させることができ、その結果、扱胴２１の回転精度を向上させて脱粒効率を向上させられる。
【００１０】
扱胴軸２７には取付板３１を固定し、取付板３１を支持部材２８の挿入孔３２を通して当接させ、固定する（図６）。３３は取付板３１を支持部材２８に取付ける作業を行うための作業用の開口部である（図２）。
また、補強部材３０は扱胴軸２７と連結しない構造としているので、扱胴２１の組立・メンテナンスを容易にする。
前記扱歯２０は円筒部２４の外周に設ける。扱歯２０は軸棒部材を所定長さで切断した軸棒形状に形成し、各扱歯２０の基部を扱胴２１の軸方向に長い外側取付部材３５に夫々固定し、外側取付部材３５は円筒部２４の外周面に当接させ、外側取付部材３５を円筒部２４の内周に設けた内側取付部材３５Ａにボルトにより共締めして固定する。
【００１１】
また、扱歯２０を取付けた内側取付部材３５Ａは、補強部材３０と支持部材２８と扱胴２１の後板３６とを連結するように、これらに固定する。
そのため、扱胴２１の剛性を向上させられる。
扱胴２１の主として下方側は扱網３７により包囲している。扱網扱網３７の下方の始端側には唐箕３８の唐箕ケーシング３９を設ける。前記扱室２２の下方には前記唐箕唐箕３８の送風により穀粒と異物とを風選し得る風選室４０を形成し、風選室４０内には、唐箕唐箕３８の送風方向（前後方向）に往復揺動する揺動選別棚４１を設ける。
揺動選別棚４１の構成は任意であるが、一例を示すと、揺動選別棚４１の始端部（前端部）を唐箕ケーシング３９の上方に位置させて移送棚部４２に形成する。
【００１２】
４３は移送棚部４２の移送方向下手側に設けたシーブであり、シーブ４３のうち固定状態に取付けたグレンシーブ４３Ａの終端部と傾斜角度調節自在に設けたチャフシーブ４３Ｂの始端部の間の上方位置に前記中仕切板２９を配置している。
チャフシーブ４３Ｂの移送方向の下手側（後側）にはストローラック４４を設ける。揺動選別棚４１の下方には一番コンベア４５を設け、一番コンベア４５の後側には二番コンベア４６を設ける。
前記扱室２２の下方に配置される風選室４０は、左右方向において、扱胴軸２７よりも下側の扱胴２１の部位での扱胴２１の回転方向の下手側に偏倚（オフセット）させて設ける（図４）。
即ち、前記扱胴２１は正面視において右回り回転させ、扱胴軸２７よりも下側の扱胴２１の部位での扱胴２１の回転下降側が回転方向上手側となり、扱胴２１の回転上昇側が回転方向下手側となり、扱胴２１に対して風選室４０および揺動選別棚４１を正面視で左側（グレンタンク５側）に偏倚させ、風選室４０および揺動選別棚４１の扱胴２１の回転方向下手側幅Ａ＞扱胴２１の回転方向上手側幅Ｂとしている（図４）。
【００１３】
そのため、扱網３７の濾粒の多い方である扱胴２１の回転方向の下手側Ａの風選室４０および揺動選別棚４１を広くすることにより、揺動選別棚４１上の被処理物を均平化させられる。
前記二番コンベア４６の終端に基部を接続した二番物還元装置５０を扱胴２１の回転方向の下手側に配置する。
そのため、扱室２２から漏下する被処理物を揺動選別棚４１上に均分化させられ、選別精度を向上させられる。
前記二番物還元装置５０の二番物還元口５１は前記補強部材３０と前記支持部材２８の略中間に開口させる（図３）。
そのため、二番物還元口５１は、扱室２２の中仕切板２９よりも前側であって、補強部材３０と支持部材２８とにより剛性の高い扱室２２の部分近傍に開口させるので、刈取装置４により供給される被処理物に二番物を還元合流さて、効率よく処理できる。
【００１４】
前記二番物還元口５１は、二番物還元装置５０の還元筒５２に対して、先端（前側）程低くなるように傾斜させて、開口させる（図３）。
そのため、揺動選別棚４１の移送棚部４２上に拡散させて還元させられ、脱穀選別のロスの低減が図れる。
前記還元筒５２の前記二番物還元口５１の反対側には、点検窓を開口させ、この点検窓には開閉または着脱自在に蓋部材５５を設ける（図７）。
この蓋部材５５は、内面が平滑のものと、内面側に二番物還元装置５０の跳ね出し体５６と干渉しない位置に突起５７を設けたものとを用意し、選択使用する。
突起５７を設けた蓋部材５５を取付けると、二番物還元口５１の部分で二番物を処理でき、選別効率を向上させられる。
また、処理が不要な二番物では、突起５７の無い蓋部材５５を取付け、二番物還元口５１からの排出抵抗を低くして、選別効率を向上させられる。
【００１５】
前記還元筒５２の中間部分には、中間点検窓を別途開口させ、この中間点検窓には開閉または着脱自在に中間蓋部材５８を設ける（図７）。
そのため、蓋部材５５と中間蓋部材５８により、詰まり除去作業を容易にする。
ガイドシリンダ６０とセンタフレーム６１とセンタ／リヤフレーム６２の夫々に、扱網３７のガイド６３を設ける。
ガイド６３は板部材により形成し、各フレームに設けた挿入溝６４に挿入して固定する。
そのため、扱網３７のガイド６３の寸法精度が確実に出て、コンプリート精度の向上となり、また、治具費を不要にする。
前記脱穀装置３は、その機枠６５を、複数のコンプリート部品６６により構成し、各コンプリート部品６６はボルト６７により接合して組み立てる構成とする。
なお、ボルト６７は、作図の都合上全てのボルト６７の部分に符号を付していないが、これにより構成は限定されない。
また、接合箇所によっては、ボルト６７による接合部分を溶接固定する。
そのため、複雑な立体治具が不要となり、組立コストを低減させられる。
【００１６】
前記機枠６５を、どのように複数のコンプリート部品６６に分割するかは任意であるが、一例を図９〜図１５に示す。
７０は前板、７１は上部フレーム、７２は取込ガイドフレーム、７３は前下側フレーム、７４は前上側フレーム、７５は後上側フレーム、７６は前上側フレーム７４と後上側フレーム７５の下方の下側フレーム、７７は後側フレーム、７８は開口部である。
【００１７】
（実施例の作用）
脱穀装置３に穀稈が供給されると、回転する扱胴２１により脱穀され、脱穀された脱穀物は、扱網扱網３７より揺動選別棚４１上に落下し、揺動選別棚４１の揺動と唐箕唐箕３８からの送風により選別され、穀粒は揺動選別棚４１の選別網から一番コンベア４５に回収される。
また、二番コンベア４６に回収された二番物は二番還元装置５０により揺動選別棚４１の始端部に還元され、再選別される。
扱室２２内に扱胴軸２７により軸装した扱胴２１は、始端部側を始端側に至るに細いテーパー部２３に形成し、テーパー部２３に続いて終始略同径の円筒部２４により形成し、扱胴２１の中間部分を扱胴軸２７に支持する円板状の支持部材２８を扱胴２１内に設け、扱胴２１の始端側内部にはリング状の補強部材３０を設けているので、支持部材２８と補強部材３０により扱胴２１の剛性を向上させられ、その結果、扱胴２１の回転精度を向上させて脱粒効率を向上させられる。
【００１８】
扱室２２の略前後中間位置には中仕切板２９を設け、該中仕切板２９の近傍の扱胴２１内には支持部材２８を設けているので、中仕切板２９は被処理物の流れに抵抗を与えて処理効率を向上させ、この部分の扱胴２１の剛性を支持部材２８により向上させて、一層、処理効率を向上させられる。
実施例では中仕切板２９より所定間隔おいた始端側の円筒部２４内に支持部材２８を設けているので、被処理物の量が多くなる中仕切板２９の始端側の扱胴２１の部分の剛性を支持部材２８により向上させられるので、有効的に剛性を向上させ、処理効率を向上させられる。
補強部材３０は、扱胴２１の円筒部２４の始端側のテーパー部２３との境界部分に設けているので、テーパー部２３の剛性を向上させられ、好適である。
また、補強部材３０は扱胴軸２７と連結しない構造としているので、扱胴２１の組立・メンテナンスを容易にする。
【００１９】
扱歯２０を取付けた内側取付部材３５Ａは、補強部材３０と支持部材２８と扱胴２１の後板３６とを連結しているので、扱胴２１の剛性を向上させられる。
扱室２２の下方に配置される風選室４０は、扱胴２１に対して左右方向において、扱胴２１の回転方向の下手側に偏倚させて設けているので、扱網３７の濾粒の多い方である風選室４０および揺動選別棚４１を広くでき、揺動選別棚４１上の被処理物を均平化させられる。
二番コンベア４６の終端に基部を接続した二番物還元装置５０を扱胴２１の回転方向の下手側に配置しているので、扱室２２から漏下する被処理物を揺動選別棚４１上に均分化させられ、選別精度を向上させられる。
二番物還元装置５０の二番物還元口５１は補強部材３０と支持部材２８の略中間に開口させているので、二番物還元口５１は、扱室２２の中仕切板２９よりも前側であって、補強部材３０と支持部材２８とにより剛性の高い扱室２２の部分近傍に開口することになり、刈取装置により供給される被処理物に二番物を還元合流さて、効率よく処理できる。
【００２０】
二番物還元口５１は、二番物還元装置５０の還元筒５２に対して、先端（前側）程低くなるように傾斜させて、開口させているので、揺動選別棚４１の移送棚部４２上に拡散させて還元させられ、脱穀選別のロスの低減が図れる。
還元筒５２の二番物還元口５１の反対側には、点検窓を開口させ、この点検窓には開閉または着脱自在に蓋部材５５を設けているので、蓋部材５５を外すと、還元筒５２内を点検・メンテナンスを行える。
この蓋部材５５は、内面が平滑のものと、内面側に二番物還元装置５０の跳ね出し体５６と干渉しない位置に突起突起５７を設けたものとを用意し、選択使用できるので、突起５７を設けた蓋部材５５を取付けると、二番物還元口５１の部分で二番物を処理でき、選別効率を向上させられる。
また、処理が不要な二番物では、突起５７の無い蓋部材５５を取付けと、二番物還元口５１からの排出抵抗を低くして、選別効率を向上させられる。
還元筒５２の中間部分には、中間点検窓を別途開口させ、この中間点検窓には開閉または着脱自在に中間蓋部材５８を設けているので、蓋部材５５と中間蓋部材５８により、詰まり除去作業を容易にする。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【符号の説明】
【００２１】
１…機体フレーム、２…走行装置、３…脱穀装置、４…刈取部、５…グレンタンク、６…操縦部、２０…扱歯、２１…扱胴、２２…扱室、２３…テーパー部、２４…円筒部、２５…前板、２６…後板、２７…扱胴軸、２８…支持部材、２９…中仕切板、３０…補強部材、３５…外側取付部材、３５Ａ…内側取付部材、３６…後板、３７…扱網、３８…唐箕、３９…唐箕ケーシング、４０…風選室、４１…揺動選別棚、４２…移送棚部、４３…シーブ、４４…ストローラック、４５…一番コンベア、４６…二番コンベア、５０…二番物還元装置、５１…二番物還元口、５２…還元筒、５５…蓋部材、５６…跳ね出し体、５７…突起、５８…中間蓋部材、６０…ガイドシリンダ、６１…センタフレーム、６２…フレーム、６３…ガイド、６４…挿入溝、６５…機枠、６６…コンプリート部品、６７…ボルト。
【図１】
2014124137.tif 000003
【図２】
2014124137.tif 000004
【図３】
2014124137.tif 000005
【図４】
2014124137.tif 000006
【図５】
2014124137.tif 000007
【図６】
2014124137.tif 000008
【図７】
2014124137.tif 000009
【図８】
2014124137.tif 000010
【図９】
2014124137.tif 000011
【図１０】
2014124137.tif 000012
【図１１】
2014124137.tif 000013
【図１２】
2014124137.tif 000014
【図１３】
2014124137.tif 000015
【図１４】
2014124137.tif 000016
【図１５】
2014124137.tif 000017